(57)【特許請求の範囲】
【請求項１】
両開き扉の一方の扉に、該扉を扉の枠部材に固定するための扉係止部材を配設し、該扉係止部材による扉の固定及び固定解除を行う操作部材を、前記一方の扉が閉鎖位置にあり、かつ、他方の扉が開放位置から閉鎖位置に移動するときに、該他方の扉が前記操作部材に当接して、前記扉係止部材を操作部材が非操作状態の固定解除状態から操作部材が操作状態の固定状態になるように構成してなる両開き扉の係止構造において、前記扉係止部材を、前記一方の扉から扉の枠部材内に先端部を突出可能に配設した係止棒と、該係止棒の基端部に設けた傾斜面を備えた被操作部と、該被操作部を介して前記係止棒を前記一方の扉内に収納するように付勢する第１のばね部材と、前記被操作部に対して摺動可能に配設した係止棒を被操作部に対して突出する方向に付勢する第２のばね部材とで構成するとともに、前記操作部材を、前記扉係止部材の被操作部の傾斜面に基端側が当接し、非操作状態で先端側が前記一方の扉の手先側から突出し、前記他方の扉が開放位置から閉鎖位置に移動するときに、該他方の扉の手先側に当接して押し込まれて操作状態となるようにしたことを特徴とする両開き扉の係止構造。
【請求項２】
両開き扉の一方の扉に、該扉を扉の枠部材に固定するための扉係止部材を配設し、該扉係止部材による扉の固定及び固定解除を行う操作部材を、前記一方の扉が閉鎖位置にあり、かつ、他方の扉が開放位置から閉鎖位置に移動するときに、該他方の扉が前記操作部材に当接して、前記扉係止部材を操作部材が非操作状態の固定解除状態から操作部材が操作状態の固定状態になるように構成してなる両開き扉の係止構造において、前記扉係止部材を、前記一方の扉の手先側に揺動可能に、かつ、扉の枠部材内に一端部を突出可能に配設した係止片と、該係止片を係止片の一端部が扉の枠部材内にかからないように付勢するばね部材とで構成するとともに、前記操作部材を、前記扉係止部材と共通の前記係止片で構成し、非操作状態で前記係止片の他端部が前記一方の扉の手先側から突出し、前記他方の扉が開放位置から閉鎖位置に移動するときに、該他方の扉の手先側に当接して押されて操作状態となるようにしたことを特徴とする両開き扉の係止構造。
【発明の詳細な説明】
【技術分野】
【０００１】
本発明は、両開き扉の係止構造に関し、特に、両開き扉を扉の枠部材に固定するための係止構造に関するものである。
【背景技術】
【０００２】
従来、建築物のドアや窓、家具等に用いられる両開き扉を扉の枠部材に固定するための係止構造として、一方の扉に丸落としやフランス落としと呼ばれる扉係止部材を配設するとともに、両方の扉にラッチ又はラッチ及びデッドボルトと、ラッチ用ストライク又はラッチ用ストライク及びデッドボルト用ストライクとからなる固定金具をそれぞれ配設するようにしたものが汎用されている。
【０００３】
そして、従来の両開き扉を扉の枠部材に固定するための係止構造に用いられる丸落としやフランス落としと呼ばれる扉係止部材は、当該扉係止部材を配設した一方の扉の反対側の扉を閉鎖する前に、固定状態にして用いられるものであった。
【発明の概要】
【発明が解決しようとする課題】
【０００４】
ところで、丸落としやフランス落としと呼ばれる扉係止部材を固定状態にするのを忘れて固定解除状態のままで両方の扉を閉じた場合、両方の扉を一緒に開放するようにしたり、地震によって両方の扉に開放する方向に力が加わると、両方の扉に配設した固定金具により施錠を行っていても、固定金具が外れ、両方の扉がそのまま開放されるという問題があった。
【０００５】
本発明は、上記従来の両開き扉を扉の枠部材に固定するための係止構造に用いられる丸落としやフランス落としと呼ばれる扉係止部材の有する問題点に鑑み、自動的に扉係止部材を固定状態にすることにより、両方の扉を一緒に開放するようにしたり、地震によって両方の扉に開放する方向に力が加わっても、固定金具が外れ、両方の扉がそのまま開放されることのない両開き扉の係止構造を提供することを目的とする。
【課題を解決するための手段】
【０００６】
上記目的を達成するため、本第１発明の両開き扉の係止構造は、両開き扉の一方の扉に、該扉を扉の枠部材に固定するための扉係止部材を配設するとともに、該扉係止部材による扉の固定及び固定解除を行う操作部材を、前記一方の扉が閉鎖位置にあり、かつ、他方の扉が開放位置から閉鎖位置に移動するときに、該他方の扉が前記操作部材に当接して、前記扉係止部材を操作部材が非操作状態の固定解除状態から操作部材が操作状態の固定状態になるように構成してなる両開き扉の係止構造において、前記扉係止部材を、前記一方の扉から扉の枠部材内に先端部を突出可能に配設した係止棒と、該係止棒の基端部に設けた傾斜面を備えた被操作部と、該被操作部を介して前記係止棒を前記一方の扉内に収納するように付勢する第１のばね部材と、前記被操作部に対して摺動可能に配設した係止棒を被操作部に対して突出する方向に付勢する第２のばね部材とで構成するとともに、前記操作部材を、前記扉係止部材の被操作部の傾斜面に基端側が当接し、非操作状態で先端側が前記一方の扉の手先側から突出し、前記他方の扉が開放位置から閉鎖位置に移動するときに、該他方の扉の手先側に当接して押し込まれて操作状態となるようにしたことを特徴とする。
【０００７】
また、同じ目的を達成するため、本第２発明の両開き扉の係止構造は、両開き扉の一方の扉に、該扉を扉の枠部材に固定するための扉係止部材を配設し、該扉係止部材による扉の固定及び固定解除を行う操作部材を、前記一方の扉が閉鎖位置にあり、かつ、他方の扉が開放位置から閉鎖位置に移動するときに、該他方の扉が前記操作部材に当接して、前記扉係止部材を操作部材が非操作状態の固定解除状態から操作部材が操作状態の固定状態になるように構成してなる両開き扉の係止構造において、前記扉係止部材を、前記一方の扉の手先側に揺動可能に、かつ、扉の枠部材内に一端部を突出可能に配設した係止片と、該係止片を係止片の一端部が扉の枠部材内にかからないように付勢するばね部材とで構成するとともに、前記操作部材を、前記扉係止部材と共通の前記係止片で構成し、非操作状態で前記係止片の他端部が前記一方の扉の手先側から突出し、前記他方の扉が開放位置から閉鎖位置に移動するときに、該他方の扉の手先側に当接して押されて操作状態となるようにしたことを特徴とする。
【発明の効果】
【０００８】
本発明の両開き扉の係止構造によれば、両開き扉の一方の扉に、該扉を扉の枠部材に固定するための扉係止部材を配設するとともに、該扉係止部材による扉の固定及び固定解除を行う操作部材を、前記一方の扉が閉鎖位置にあり、かつ、他方の扉が開放位置から閉鎖位置に移動するときに、該他方の扉が前記操作部材に当接して、前記扉係止部材を操作部材が非操作状態の固定解除状態から操作部材が操作状態の固定状態にするように構成してなることから、一方の扉が閉鎖位置にあるときに、他方の扉を開放位置から閉鎖位置に移動するだけで、自動的に扉係止部材を固定状態にすることができ、これにより、固定解除状態のままで両方の扉を一緒に開放するようにしたり、地震によって両方の扉に開放する方向に力が加わっても、固定金具が外れ、両方の扉がそのまま開放されることを防止することができる。
そして、この両開き扉の係止構造によれば、丸落としやフランス落としと呼ばれる扉係止部材のようにわざわざ固定状態にする必要がないことから、両方の扉を開くことの多い両開き扉の操作性を向上することができる。
【０００９】
そして、本第１発明の両開き扉の係止構造によれば、前記扉係止部材を、前記一方の扉から扉の枠部材内に先端部を突出可能に配設した係止棒と、該係止棒の基端部に設けた傾斜面を備えた被操作部と、該被操作部を介して前記係止棒を前記一方の扉内に収納するように付勢する第１のばね部材とで構成するとともに、前記操作部材を、前記扉係止部材の被操作部の傾斜面に基端側が当接し、非操作状態で先端側が前記一方の扉の手先側から突出し、前記他方の扉が開放位置から閉鎖位置に移動するときに、該他方の扉の手先側に当接して押し込まれて操作状態となるようにすることにより、強度の大きな構造とすることができる。
また、前記係止棒を被操作部に対して摺動可能に配設するとともに、係止棒を被操作部に対して突出する方向に付勢する第２のばね部材を設けることにより、係止棒に上下方向の大きな負荷がかかったときに、第２のばね部材の付勢力に抗して係止棒が被操作部に対して摺動して負荷を吸収することができ、扉係止部材等が破損するのを防止することができる。
【００１０】
また、本第２発明の両開き扉の係止構造によれば、前記扉係止部材を、前記一方の扉の手先側に揺動可能に、かつ、扉の枠部材内に一端部を突出可能に配設した係止片と、該係止片を係止片の一端部が扉の枠部材内にかからないように付勢するばね部材とで構成するとともに、前記操作部材を、前記扉係止部材と共通の前記係止片で構成し、非操作状態で前記係止片の他端部が前記一方の扉の手先側から突出し、前記他方の扉が開放位置から閉鎖位置に移動するときに、該他方の扉の手先側に当接して押されて操作状態となるようにすることにより、部品点数が少なく、簡易な構造とすることができる。
【図面の簡単な説明】
【００１１】
【図１】本発明の両開き扉の係止構造を適用した両開き扉の第１実施例を示し、（ａ１）は両方の扉を開いた状態にした正面図、（ｂ１）は同平面図、（ａ２）は第１の扉を閉じ、第２の扉を開いた状態にした正面図、（ｂ２）は同平面図、（ａ３）は両方の扉を閉じた状態にした正面図、（ｂ３）は同平面図である。
【図２】同両開き扉の係止構造の固定解除状態を示し、（ａ）は正面図、（ｂ）は平面図、（ｃ）は右側面図である。
【図３】同両開き扉の係止構造の固定状態を示し、（ａ）は正面図、（ｂ）は平面図、（ｃ）は右側面図である。
【図４】同両開き扉の係止構造の扉係止部材の係止棒を示し、（ａ）は正面図、（ｂ）は平面図、（ｃ）は右側面図である。
【図５】同両開き扉の係止構造の扉係止部材の被操作部を示し、（ａ）は正面図、（ｂ）は平面図、（ｃ）は右側面図、（ｄ）は斜視図である。
【図６】同両開き扉の係止構造の扉係止部材の操作部材を示し、（ａ）は正面図、（ｂ）は平面図、（ｃ）は右側面図である。
【図７】同両開き扉の係止構造の取付ケースを示し、（ａ）は正面図、（ｂ）は平面図、（ｃ）は右側面図である。
【図８】同両開き扉の係止構造の取付ケースの係止棒の案内部材を示し、（ａ）は正面図、（ｂ）は平面図、（ｃ）は右側面図である。
【図９】本発明の両開き扉の係止構造を適用した両開き扉の第１実施例の変形実施例を示し、（ａ１）は取付ケースの正面図、（ｂ１）は同平面図、（ｃ１）は同右側面図、（ａ２）は第１の扉の正面図、（ｂ２）は同平面図、（ｃ２）は同右側面図、（ａ３）は取付ケースを第１の扉に取り付けた状態を示す正面図、（ｂ３）は同平面図、（ｃ３）は同右側面図である。
【図１０】本発明の両開き扉の係止構造を適用した両開き扉の第２実施例を示し、（ａ１）は両方の扉を開いた状態にした正面図、（ｂ１）は同平面図、（ａ２）は第１の扉を閉じ、第２の扉を開いた状態にした正面図、（ｂ２）は同平面図、（ｃ２）は同右側面図、（ａ３）は両方の扉を閉じた状態にした正面図、（ｂ３）は同平面図、（ｃ３）は同右側面図である。
【図１１】同両開き扉の係止構造を示し、（ａ１）は係止片の正面図、（ｂ１）は同平面図、（ｃ１）は同右側面図、（ａ２）はばね部材の正面図、（ｂ２）は同左側面図、（ａ３）は取付部材の正面図、（ｂ３）は同平面図、（ｃ３）は同右側面図、（ａ４）は係止片、ばね部材及び取付部材を組み立てた状態の正面図、（ｂ４）は同平面図、（ｃ４）は同右側面図である。
【発明を実施するための形態】
【００１２】
以下、本発明の両開き扉の係止構造の実施の形態を、図面に基づいて説明する。
【実施例１】
【００１３】
図１〜図８に、本発明の両開き扉の係止構造を適用した両開き扉の第１実施例を示す。
この両開き扉の係止構造は、両開き扉Ｄの一方の扉Ｄ１に、この扉Ｄ１を扉の枠部材Ｆに固定するための扉係止部材１を配設するとともに、この扉係止部材１による扉Ｄ１の固定及び固定解除を行う操作部材２を、一方の扉Ｄ１が閉鎖位置にあり、かつ、他方の扉Ｄ２が開放位置から閉鎖位置に移動するときに、この他方の扉Ｄ２が操作部材２に当接して、扉係止部材１を操作部材２が非操作状態の固定解除状態から操作部材２が操作状態の固定状態になるようにしている。
なお、本実施例において、扉係止部材１及び操作部材２を、一方の扉Ｄ１の手先側（手先框）Ｄ１ａの上下部に設けるようにしているが、大きな負荷がかからない場合には、上下部のいずれか一方に設けるようにすることもできる。
【００１４】
そして、本実施例においては、扉係止部材１を、一方の扉Ｄから扉の枠部材内に先端部を突出可能に配設した係止棒１１と、この係止棒１１の基端部に設けた傾斜面１２ａを備えた被操作部１２とで構成するとともに、この係止棒１１を一方の扉Ｄ１内に収納するように付勢する圧縮ばねからなる第１のばね部材１３と、操作部材２を、扉係止部材１の被操作部１２の傾斜面１２ａに基端側２１に形成した操作部２１ａが当接し、非操作状態で先端側２２が一方の扉Ｄ１の手先側（手先框）Ｄ１ａから突出し、他方の扉Ｄ２が開放位置から閉鎖位置に移動するときに、他方の扉Ｄ２の手先側（手先框）Ｄ２ａに当接して押し込まれて操作状態となるようにしている。
【００１５】
さらに、本実施例においては、係止棒１１を被操作部１２に対して摺動可能に、かつ、係止棒１１に形成したばね状の抜け止め突起１１ａを被操作部１２の上部に縦方向に形成した長孔１２ｂに嵌め込むことにより抜け止めして配設するとともに、係止棒１１を被操作部１２に対して突出する方向に付勢する第２のばね部材１４を設けるようにしている。
これにより、例えば、一方の扉Ｄ１が完全に閉鎖されていない状態で、他方の扉Ｄ２が操作部材２に当接する等により、係止棒１１に上下方向の大きな負荷がかかったときに、第２のばね部材１４の付勢力に抗して係止棒１１が被操作部に対して摺動して負荷を吸収することができ、扉係止部材１等が破損するのを防止することができる。
【００１６】
また、操作部材２には、その基端側２１に、扉係止部材１の被操作部１２が挿通される矩形の孔部２０を形成し、この孔部２０の内周面を、被操作部１２の傾斜面１２ａに当接する操作部２１ａにする。
これにより、扉係止部材１の被操作部１２を操作部材２により安定して操作することができる。
【００１７】
そして、扉係止部材１及び操作部材２は、取付ケース３の本体部３１に組み付け、この取付ケース３を一方の扉Ｄ１の手先側（手先框）Ｄ１ａの上下部に取り付けるようにする。
取付ケース３の一方の扉Ｄ１への取付は、ビス（扉Ｄ１が金属製の場合）やねじ（扉Ｄ１が木製の場合）を用いて行うほか、図９に示す変形実施例のように、取付ケース３に嵌合部３１ａ、３１ｂを形成し、扉Ｄ１に形成した嵌合穴Ｈａ、Ｈｂに取り付けるようにすることもできる。
【００１８】
また、扉係止部材１の係止棒１１が固定される扉の枠部材Ｆには、係止棒１１が嵌合する嵌合穴（図示省略）を形成するようにする。
この場合、扉の枠部材Ｆに嵌合穴（図示省略）を直接形成するほか、適宜の嵌合穴部材（図示省略）を設けるようにすることもできる。
【００１９】
また、操作部材２の基端側２１に形成した操作部２１ａが当接する他方の扉Ｄ２の手先側（手先框）Ｄ２ａは、操作部２１ａが直接当接するようにするほか、適宜の当接部材（図示省略）を設けるようにすることもできる。
【００２０】
そして、扉係止部材１及び操作部材２、さらには、取付ケース３等の各部材は、ポリアセタール樹脂、ポリカーボネート樹脂、アクリル樹脂、ポリアミド樹脂等の合成樹脂や亜鉛合金、アルミニウム、ステンレススチール等の金属で形成することができる。
【００２１】
また、両開き扉Ｄの両方の扉Ｄ１、Ｄ２には、例えば、ラッチ又はラッチ及びデッドボルトと、ラッチ用ストライク又はラッチ用ストライク及びデッドボルト用ストライクとからなる固定金具Ｒをそれぞれ配設するようにする。
【００２２】
この両開き扉Ｄは、一方の扉Ｄ１が閉鎖位置にあるときに、他方の扉Ｄ２を開放位置から閉鎖位置に移動するだけで、自動的に扉係止部材１を固定状態にすることができ、これにより、固定解除状態のままで両方の扉Ｄ１、Ｄ２を一緒に開放するようにしたり、地震によって両方の扉Ｄ１、Ｄ２に開放する方向に力が加わっても、固定金具Ｒが外れ、両方の扉Ｄ１、Ｄ２がそのまま開放されることを防止することができる。
そして、この両開き扉の係止構造によれば、丸落としやフランス落としと呼ばれる扉係止部材のようにわざわざ固定状態にする必要がないことから、両方の扉Ｄ１、Ｄ２を開くことの多い両開き扉Ｄの操作性を向上することができる。
【実施例２】
【００２３】
図１０〜図１１に、本発明の両開き扉の係止構造を適用した両開き扉の第２実施例を示す。
本実施例においては、扉係止部材１を、一方の扉Ｄ１の手先側（手先框）Ｄ１ａに揺動可能に、かつ、扉の枠部材Ｆ内に一端部を突出可能に配設した係止片４と、この係止片４を係止片４の一端部４ａが扉の枠部材Ｆ内にかからないように付勢する捻りばねからなるばね部材５とで構成するとともに、操作部材２を、扉係止部材１と共通の係止片４で構成し、非操作状態で係止片４の他端部４ｂが一方の扉Ｄ１の手先側（手先框）Ｄ１ａから突出し、他方の扉Ｄ２が開放位置から閉鎖位置に移動するときに、他方の扉Ｄ２の手先側（手先框）Ｄ２ａに当接して押されて操作状態となるようにしている。
【００２４】
そして、係止片４は、係止片４は、扇形に形成するとともに、その要部に揺動軸４１を一体に形成し、この揺動軸４１にばね部材５を挿通した後、該揺動軸４１を取付部材６の取付穴６１に嵌挿して組み付け、取付部材６を一方の扉Ｄ１の手先側（手先框）Ｄ１ａの上下部に取り付けるようにする。
取付ケース３の一方の扉Ｄ１への取付は、ビス（扉Ｄ１が金属製の場合）やねじ（扉Ｄ１が木製の場合）を用いて行うようにする。
【００２５】
また、係止片４の一端部４ａが固定される扉の枠部材Ｆには、係止片４の一端部４ａが嵌合する嵌合穴（図示省略）を形成するようにする。
この場合、扉の枠部材Ｆに嵌合穴を直接形成するほか、適宜の嵌合穴部材（図示省略）を設けるようにすることもできる。
【００２６】
また、係止片４の他端部４ｂが当接する他方の扉Ｄ２の手先側（手先框）Ｄ２ａは、係止片４の他端部４ｂが直接当接するようにするほか、適宜の当接部材（図示省略）を設けるようにすることもできる。
【００２７】
そして、係止片４、さらには、取付部材６等の各部材は、ポリアセタール樹脂、ポリカーボネート樹脂、アクリル樹脂、ポリアミド樹脂等の合成樹脂や亜鉛合金、アルミニウム、ステンレススチール等の金属で形成することができる。
【００２８】
以上、本発明の両開き扉の係止構造について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２９】
本発明の両開き扉の係止構造は、自動的に扉係止部材を固定状態にすることにより、両方の扉を一緒に開放するようにしたり、地震によって両方の扉に開放する方向に力が加わっても、固定金具が外れ、両方の扉がそのまま開放されることのないことから、両方の扉を開くことの多い両開き扉の用途に好適に用いることができる。
【符号の説明】
【００３０】
Ｄ    両開き扉
Ｄ１  一方の扉
Ｄ１ａ  手先側（手先框）
Ｄ２  他方の扉
Ｄ２ａ  手先側（手先框）
Ｆ    扉の枠部材
Ｒ    固定金具
１    扉係止部材
１１  係止棒
１２  被操作部
１２ａ  傾斜面
１３  第１のばね部材
１４  第２のばね部材
２    操作部材
２１  基端側
２１ａ  操作部
２２  先端側
３    取付ケース
４    係止片（扉係止部材、操作部材）
５    ばね部材
６    取付部材
【図１】
0005627994.tif 000002
【図２】
0005627994.tif 000003
【図３】
0005627994.tif 000004
【図４】
0005627994.tif 000005
【図５】
0005627994.tif 000006
【図６】
0005627994.tif 000007
【図７】
0005627994.tif 000008
【図８】
0005627994.tif 000009
【図９】
0005627994.tif 000010
【図１０】
0005627994.tif 000011
【図１１】
0005627994.tif 000012